(57)【要約】【課題】乗務員の営業活動を支援する乗務員支援装置を提供する。【解決手段】タクシーに搭載され、該タクシーの乗務員の営業活動を支援するための乗務員支援装置であって、路側に設置された路側器１１０との間で無線による各種情報の送受信を行う送受信手段３０と、前記送受信手段３０が受信した情報の中から少なくとも前記乗務員が営業を行う地域で催されるイベントを示すイベント情報を抽出するイベント情報抽出手段１２ａと、前記イベント情報抽出手段１２ａが抽出したイベント情報を記憶するイベント情報記憶手段１３と、前記乗務員に認識させるために前記イベント情報記憶手段１３が記憶しているイベント情報の出力を予め定められたタイミングで指示する出力指示手段１２ｂと、前記出力指示手段１２ｂが指示した前記イベント情報を出力するイベント情報出力手段５０と、を備えることを特徴とする。【選択図】図１
2006079308.tif 000002
【特許請求の範囲】
【請求項１】
タクシーに搭載され、該タクシーの乗務員の営業活動を支援するための乗務員支援装置であって、
路側に設置された路側器との間で無線による各種情報の送受信を行う送受信手段と、
前記送受信手段が受信した情報の中から少なくとも前記乗務員が営業を行う地域で催されるイベントを示すイベント情報を抽出するイベント情報抽出手段と、
前記イベント情報抽出手段が抽出したイベント情報を記憶するイベント情報記憶手段と、
前記乗務員に認識させるために前記イベント情報記憶手段が記憶しているイベント情報の出力を予め定められたタイミングで指示する出力指示手段と、
前記出力指示手段が指示した前記イベント情報を出力するイベント情報出力手段と、
を備えることを特徴とする乗務員支援装置。
【請求項２】
前記イベント情報出力手段は、前記イベント情報を印字して前記乗務員に出力する
ことを特徴とする請求項１に記載の乗務員支援装置。
【請求項３】
前記イベント情報抽出手段によるイベント情報の抽出に応じて、前記イベント情報記憶手段が記憶しているイベント情報が有する前記イベントの開示時刻を示す開始時刻データに基づいて、該開始時刻が近づいたときに前記イベント情報を出力する前記タイミングを設定するタイミング設定手段をさらに備え、
前記出力指示手段はさらに、前記タイミング設定手段が設定したタイミングで該当するイベント情報の出力を指示する
ことを特徴とする請求項１又は２に記載の乗務員支援装置。
【請求項４】
タクシーの乗務員の営業活動を支援する乗務員支援システムであって、
請求項１に記載の乗務員支援装置と、該乗務員支援装置にて出力させる前記イベント情報を生成するイベント情報生成装置と、出庫する前記タクシーに対して前記イベント情報生成装置が生成したイベント情報の送信が可能なように設けられた路側器と、を備え、
前記乗務員支援装置の送受信手段は、前記タクシーの出庫に応じて前記路側器から前記イベント情報を受信する
ことを特徴とする乗務員支援システム。
【発明の詳細な説明】
【技術分野】
【０００１】
本発明は、乗務員支援装置及び乗務員支援システムに関し、より詳細には、タクシーの乗務員の営業活動を支援するための乗務員支援装置及び乗務員支援システムに関するものである。
【背景技術】
【０００２】
従来よりタクシーには、搭載されたタクシーの走行距離及び走行時間と認可を受けた料金制とに基づいて料金を算出し、請求料金を逐次表示するタクシーメータが搭載されている。そして、タクシーにはさらに、タクシー会社特有の料金制に応じたタクシー料金の表示などを行う外付メータ、タクシー料金の領収書などを発行するプリンタ、各種入力を乗務員に行わせるハンディテンキー、タクシー料金の決裁を行う各種決裁カードの情報を読み込むカードリーダなどタクシーメータと連動する複数の機器が搭載されている。
【０００３】
本出願人は、タクシーに搭載された複数の機器の設定値を容易に変更することができる設定装置を提案してきた。該設定装置によれば、変更情報を、機器の設定値を変更するための変更データと変更対象を特定する対象データとを有する構成とし、この変更情報によって複数の機器の設定を変更を可能とさせることで、設定装置の共通化を実現してきた（特許文献１）。
【特許文献１】特開２００１−７６１８７号公報
【発明の開示】
【発明が解決しようとする課題】
【０００４】
しかしながら、タクシーの乗客に対するサービスの向上、乗務員の作業支援等のために複数の機器を搭載し、その機器のメンテナンスの向上も図られてきたが、不況等で乗客数が減少しており、タクシー業界は厳しい経営が続いているため、タクシー会社等は乗務員自らの営業活動による営業効率の向上を望んでいた。そこで、タクシー会社等は、運行前等に乗務員の営業活動を支援するために、運行地域で行われるイベントを営業開始前の乗務員に対して通知していたが、通知した情報が多い場合、多くの情報が忘れられたり、うまく伝達されなかったり等のケースがあり、効果的な乗務員による営業活動の支援になっていなかった。
【０００５】
よって本発明は、上述した問題点に鑑み、乗務員の営業活動を支援する乗務員支援装置及び乗務員支援システムを提供することを課題としている。
【課題を解決するための手段】
【０００６】
上記課題を解決するため本発明によりなされた請求項１記載の乗務員支援装置は、図１の基本構成図に示すように、タクシーに搭載され、該タクシーの乗務員の営業活動を支援するための乗務員支援装置であって、路側に設置された路側器１１０との間で無線による各種情報の送受信を行う送受信手段３０と、前記送受信手段３０が受信した情報の中から少なくとも前記乗務員が営業を行う地域で催されるイベントを示すイベント情報を抽出するイベント情報抽出手段１２ａと、前記イベント情報抽出手段１２ａが抽出したイベント情報を記憶するイベント情報記憶手段１３と、前記乗務員に認識させるために前記イベント情報記憶手段１３が記憶しているイベント情報の出力を予め定められたタイミングで指示する出力指示手段１２ｂと、前記出力指示手段１２ｂが指示した前記イベント情報を出力するイベント情報出力手段５０と、を備えることを特徴とする。
【０００７】
上記請求項１に記載した本発明の乗務員支援装置によれば、送受信手段３０によって路側器１１０から情報が受信されると、その中からイベント情報がイベント情報抽出手段１２ａによって抽出され、該イベント情報はイベント情報記憶手段１３に記憶される。そして、出力指示手段１２ｂによって例えばタクシーの出庫時、所定時間毎、イベント情報の受信時等の予め定められたタイミングで乗務員に認識させるための出力が指示されると、イベント情報出力手段５０によってイベント情報が出力される。
【０００８】
上記課題を解決するためになされた請求項２記載の発明は、図１の基本構成図に示すように、請求項１に記載の乗務員支援装置において、前記イベント情報出力手段５０は、前記イベント情報を印字して前記乗務員に出力することを特徴とする。
【０００９】
上記請求項２に記載した本発明の乗務員支援装置によれば、出力指示手段１２ｂによって出力が指示されると、該指示されたイベント情報はイベント情報出力手段５０によって用紙に印字されて出力される。
【００１０】
上記課題を解決するためになされた請求項３記載の発明は、図１の基本構成図に示すように、請求項１又は２に記載の乗務員支援装置において、前記イベント情報抽出手段１２ａによるイベント情報の抽出に応じて、前記イベント情報記憶手段１３が記憶しているイベント情報が有する前記イベントの開示時刻を示す開始時刻データに基づいて、該開始時刻が近づいたときに前記イベント情報を出力する前記タイミングを設定するタイミング設定手段１２ｃをさらに備え、前記出力指示手段１２ｂはさらに、前記タイミング設定手段１２ｃが設定したタイミングで該当するイベント情報の出力を指示することを特徴とする。
【００１１】
上記請求項３に記載した本発明の乗務員支援装置によれば、イベント情報抽出手段１２ａにってイベント情報が抽出されてイベント情報記憶手段１３に記憶されると、そのイベント情報が有する開始時刻データに基づいて、イベントの開始時刻が近づいたときにイベント情報を出力するタイミングがタイミング設定手段１２ｃによって設定される。そして、そのタイミングにてイベント情報の出力が出力指示手段１２ｂによって指示される。
【００１２】
上記課題を解決するため本発明によりなされた請求項４記載の乗務員支援システムは、図１の基本構成図に示すように、タクシーの乗務員の営業活動を支援する乗務員支援システムであって、請求項１に記載の乗務員支援装置１と、該乗務員支援装置１にて出力させる前記イベント情報を生成するイベント情報生成装置１００と、出庫する前記タクシーに対して前記イベント情報生成装置が生成したイベント情報の送信が可能なように設けられた路側器１１０と、を備え、前記乗務員支援装置１の送受信手段３０は、前記タクシーの出庫に応じて前記路側器１１０から前記イベント情報を受信することを特徴とする。
【００１３】
上記請求項４に記載した本発明の乗務員支援システムによれば、タクシーの乗務員が営業を行う地域において催されるイベントが存在すると、イベント情報生成装置１００によって当該イベントを示すイベント情報が生成され、該イベント情報の送信が路側器１１０に指示される。そして、出庫時にタクシーが路側器１１０に近づくと、乗務員支援装置１は路側器１１０からイベント情報を受信する。そして、乗務員支援装置１によって当該イベント情報が乗務員に対して出力される。
【発明の効果】
【００１４】
以上説明したように請求項１に記載した本発明の乗務員支援装置によれば、乗務員が営業を行う地域に対応したイベント情報を路側器から受信すると、該イベント情報を乗務員に認識させるために出力するようにしたことから、営業地域において催されるイベントを乗務員に認識させることができるため、乗務員はそのイベント情報に基づいて当日の営業計画を立てることができる。従って、乗務員の忘れがちな情報を乗務員に認識させ、その情報に基づいて営業させることができるため、営業効率の向上を図ることができる。
【００１５】
請求項２に記載の発明によれば、請求項１に記載の発明の効果に加え、乗務員支援装置にて受信したイベント情報を用紙等に印字するようにしたことから、タクシーに乗車した乗務員にイベント情報が印字された用紙を控えさせることができるため、タクシー会社側が乗務員に提供する情報量が多い場合であっても、それらの情報を乗務員に忘れられてしまうことを防止することができるため、乗務員の営業活動を確実に支援することができる。
【００１６】
請求項３に記載の発明によれば、乗務員支援装置にて受信したイベント情報が示すイベントの開始時刻が近づいたときにイベント情報を出力するタイミングを設定し、そのタイミングでイベント情報を出力するようにしたことから、乗務員にイベントの開始が近づいていることを認識させて営業させることができるため、さらなる営業効率の向上を図ることができる。
【００１７】
以上説明したように請求項４に記載した本発明の乗務員支援システムによれば、イベント情報生成装置が生成したイベント情報を、出庫するタクシーに対して路側器から送信し、タクシーに搭載された乗務員支援装置は受信したイベント情報を乗務員に対して出力するようにしたことから、乗務員を煩わせることなく、タクシーの出庫時にイベント情報を確実に乗務員支援装置によって乗務員に認識させることができるため、イベント情報に基づいた当日の営業計画を乗務員に立てさせることができる。従って、乗車員の営業活動を支援することができるため、業績の向上に貢献することができる。
【発明を実施するための最良の形態】
【００１８】
以下、本発明に係る乗務員支援装置を備える乗務員支援システムの一実施の形態を、図２〜図５の図面を参照して説明する。
【００１９】
ここで、図２は本発明の乗務員支援システムの一例を示すシステム構成図であり、図３は図２の接続ボックスの概略構成の一例を示す構成図であり、図４は図３のＣＰＵが実行する乗務員支援処理の一例を示すフローチャートであり、図５はイベント情報の出力例を示す図である。
【００２０】
乗務員支援システムは、図２に示すように、タクシーに搭載されるタクシーシステム１と、タクシー会社等に設けられるイベント情報生成装置１００と、出庫するタクシーとの間でＤＳＲＣ（挟域通信：Dedicated Short Range Communications）が可能なようにタクシー会社の路側等に設けている路側器１１０と、を備える。
【００２１】
タクシーシステム１は、接続ボックス１０とタクシーメータ２０と車載器３０とハンディターミナル４０とプリンタ５０とを備えて構成している。そして、後述する接続ボックス１０は、タクシーメータ２０と車載器３０とハンディターミナル４０とプリンタ５０とを接続する接続部を備え、該接続ボックス１０に接続された複数の機器間の連携を取るように構成している。
【００２２】
なお、本最良の形態では、本発明の乗務員支援装置を接続ボックス１０と車載器３０とプリンタ５０で実現する場合について説明するが、本発明はこれに限定するものではなく、接続ボックス１０と車載器３０、ハンディターミナル４０と車載器３０などの組み合わせや他の機器で実現するなど種々異なる形態とすることができる。
【００２３】
タクシーメータ２０は、周知であるように、料金等を表示する表示部と、乗務員によって支払、実車（賃走）等に応じて操作される操作部とを備え、操作部の操作に応じて賃走、支払、２割増、迎車等の各タリフ状態に応じたタリフ状態信号などを接続ボックス１０に出力している。
【００２４】
車載器３０は、タクシーのダッシュボード等に、その進行方向に対して斜め上方を向くように搭載されている。この車載器３０は、周知であるように、有料道路上のゲートに設置された無線式の料金処理装置との間で無線通信を行い、装着されたカードに記憶されている電子現金情報によって有料道路における通行料金の自動収受を行う自動料金収受システム（ETC:Electronic Toll Collection System）に用いられるものである。さらに、車載器３０は、路側器１１０から電波信号を受信すると、該電波信号はＡ／Ｄ変換されて受信情報として接続ボックス１０に出力する構成となっている。
【００２５】
なお、本最良の形態では、これらの既存技術を応用することで、開発スケジュールの短縮を図っているが、本発明はこれに限定するものではなく、スポット的に通信エリアを形成できるものであれば、それ以外の周波数による無線信号、光や赤外線、電磁誘導など種々異なる通信形態とすることができる。
【００２６】
ハンディターミナル４０は、周知であるように、各種情報を表示する表示部、各種情報を入力させる操作部、クレジットカード等からカード情報を読み取る読取部等を備える。そして、タクシーメータ２０にて発生した料金情報は、接続ボックス１０を介してハンディターミナル４０に送信され、ハンディターミナル４０はクレジットカード等の決裁カードから読み込んだ決裁カード情報と受信した料金情報とに基づいて決裁を行うことが可能な構成となっている。
【００２７】
プリンタ５０は、タクシーメータ２０の近傍に設けられ、タクシー料金の支払い時に接続ボックス１０から入力された領収書情報に基づいて、タクシー料金の支払いに応じて領収書、御利用書等を出力している。
【００２８】
次に、本発明の乗務員支援装置の制御部に相当する接続ボックス１０の構成について、図３の図面を参照して説明する。
【００２９】
図３において、１１は読み出し専用のメモリ（ＲＯＭ）を示し、ＲＯＭ１１には後述する乗務員支援処理を実現するための乗務員支援プログラム等の各種プログラムや固定データ等が格納されている。１２は中央演算処理装置（ＣＰＵ）を示し、ＣＰＵ１２はＲＯＭ１１に予め格納された制御プログラムに従って動作している。
【００３０】
１３は電気的消去／書き換え可能な読み出し専用のメモリ（ＥＥＰＲＯＭ）を示し、ＥＥＰＲＯＭ１３には機能設定情報等の車両個別の設定情報が格納されている。１４は読み出し書き込み自在のメモリ（ＲＡＭ）を示し、ＲＡＭ１４はＣＰＵ１２の処理の過程で発生する各種のデータを格納するデータエリアと処理の際に使用するワークエリア等を有する。
【００３１】
１５はカレンダ機能付きの時計ＩＣを示し、時計ＩＣ１５はこれに接続された電源１５ａからの給電を受けて、「年」、「月」、「日」、「時」、「分」、「秒」からなるカレンダデータをＣＰＵ１２に出力している。１６はインタフェース部を示し、インタフェース部１６を介して上述したタクシーメータ２０、車載器３０、ハンディターミナル４０、並びにプリンタ５０がＣＰＵ１２に接続されている。
【００３２】
ＥＥＰＲＯＭ１３は、イベント情報生成装置１００が生成して路側器１１０から受信したイベント情報を記憶するイベント記憶エリアを有する。そして、イベント情報は、催されるイベントを示すイベントデータと、該イベントの開始時刻を示す開始時刻データと、を有して構成している。そして、イベントデータは、開催場所とイベントの内容が認識できるように構成しており、例えば、「東京ドームで巨人ＶＳ阪神戦が開催」というように設定している。このようにイベントデータに開催場所を設定することで、より一層的確に営業活動を支援することができる。
【００３３】
また、本最良の形態では、「安全運転を心がけて下さい！」等の乗務員に対する運行中における指導内容を示す指導データをイベント情報に付加し、イベント情報を出力する際に、その指導データも出力する構成としている。
【００３４】
次に、接続ボックス１０のＣＰＵ１２が行う本発明に係る処理概要の一例を、図４のフローチャートを参照して説明する。
【００３５】
電力の供給に応じて接続ボックス１０が起動されると、ＣＰＵ１２によってプログラムが実行され、上位プログラムから乗務員支援処理が呼び出されると、ステップＳ１１において、インタフェース部１６を介した車載器３０からの受信情報の入力の有無に基づいて、路側器１１０から信号を受信したか否かが判定される。受信していないと判定された場合は（Ｓ１１でＮ）、この判定処理を繰り返すことで、路側器１１０からの受信を待つ。一方、受信したと判定された場合は（Ｓ１１でＮ）、ステップＳ１２に進む。
【００３６】
ステップＳ１２（イベント情報抽出手段）において、受信情報の所定アドレスに予め定められたイベント情報を識別するための識別データが設定されている受信情報がイベント情報として抽出され、ステップＳ１３において、抽出されたイベント情報がＥＥＰＲＯＭ１３のイベント記憶エリアに記憶され、その後ステップＳ１４に進む。
【００３７】
ステップＳ１４（出力指示手段）において、抽出されたイベント情報の印字（出力）を指示する指示情報がプリンタ５０に出力されることで、プリンタ５０によってイベント情報が印字され、その後ステップＳ１５に進む。
【００３８】
ステップＳ１５（タイミング設定手段）において、ＥＥＰＲＯＭ１３に記憶しているイベント情報の開始時刻データとＲＯＭ１１等に予め記憶している設定条件情報とに基づいて、開始時刻が近づいたときにイベント情報を出力するタイミング（出力時刻）が設定され、そのタイミングはイベント情報に関連付けられてＥＥＰＲＯＭ１３に記憶され、その後ステップＳ１６に進む。なお、設定条件情報の一例としては、イベントの開始時刻のどの位前にイベント情報を出力するかを示しており、タクシー会社、乗務員等によって任意に設定することができる。
【００３９】
ステップＳ１６において、所定時間毎に時計ＩＣ１５から取得する時刻と各イベント情報に対応するタイミングとが比較され、その比較結果に基づいて該当（一致）するタイミングがあるか否かが判定される。該当するタイミングがないと判定された場合は（Ｓ１６でＮ）、この判定処理を繰り返すことで、タイミングの監視が継続される。一方、該当するタイミングがあると判定された場合は（Ｓ１６でＹ）、そのイベント情報がＲＡＭ１４の所定エリアに記憶され、その後ステップＳ１７に進む。
【００４０】
ステップＳ１７（出力指示手段）において、ＲＡＭ１４のイベント情報の印字（出力）を指示する指示情報がプリンタ５０に出力されることで、プリンタ５０によってイベント情報が用紙に印字され、その後処ステップＳ１８に進む。なお、イベント情報はステップＳ１４で印字されていることから、ここでは、タクシーメータ２０、車載器３０、ハンディターミナル４０等にイベント情報を出力し、その表示部にて表示させることもできる。
【００４１】
ステップＳ１８において、終了要求を受けたか否かが判定される。終了要求を受けていないと判定された場合は（Ｓ１８でＮ）、ステップＳ１６に戻り、一連の処理が繰り返される。一方、終了要求を受けたと判定された場合は（Ｓ１８でＹ）、処理を終了する。
【００４２】
以上の説明からも明らかなうように、本最良の形態においては、接続ボックス１０のＣＰＵ１２が特許請求の範囲に記載のイベント情報抽出手段及び出力指示手段に相当し、送受信手段が車載器３０に相当し、イベント情報出力手段がプリンタ５０に相当している。
【００４３】
次に、タクシー会社等に設けられるイベント情報生成装置１００は、パーソナル・コンピュータ等が用いられる。そして、内蔵する記憶装置に記憶したイベント情報生成プログラムの実行により、例えば、入力画面に基づいて催されるイベントをオペレータに入力させ、それらの入力に基づいて上述したイベント情報が生成され、該イベント情報は路側器１１０に送信する。
【００４４】
路側器１１０は、周知のように、アンテナを介して車載器３０との間でＤＳＲＣ通信を可能とする送受信回路と、専用回線、インターネット等を介してイベント情報生成装置１００との通信を可能とする通信部と、それらの通信を制御する制御部と、イベント情報等を記憶する記憶部と、を備える。そして、イベント情報生成装置１００は、車載器３０から受信に応じてタクシーが通信エリアに信したことを検出すると、記憶部に記憶しているイベント情報を車載器３０に送信する。
【００４５】
次に、上述した構成の乗務員支援システムの動作（作用）の一例を、図５のイベント情報の出力例を参照して説明する。
【００４６】
例えば、タクシー会社の営業地域において、本日のイベントとして、「ＡＭ１０：００〜東京ビックサイトで世界のタクシー展」と、「ＰＭ６：３０〜東京ドームで巨人ＶＳ阪神戦」の２つのイベントが催される場合、イベント情報生成装置１００は、それらのイベントを示し、かつ、乗務員の安全運転を促すイベント情報を生成して路側器１１０に送信する。そして、路側器１１０は、受信したイベント情報を記憶部に記憶し、タクシーの接近を監視する。そして、出庫するタクシーが路側器１１０に近づくと、路側器１１０は記憶部に記憶しているイベント情報をタクシーの車載器３０に対して送信する。
【００４７】
車載器３０がイベント情報を受信すると、接続ボックス１０は当該イベント情報を抽出し、プリンタ５０に印字（出力）を指示する。その結果、プリンタ５０は、図５に示すように、イベント情報を用紙に印字することで、乗務員に営業当日に催されるイベントを認識させる。そして、受信したイベント情報を用紙等に印字するようにしたことから、タクシーに乗車した乗務員にイベント情報が印字された用紙を控えさせることができるため、乗務員に提供する情報量が多い場合でも、タクシー会社側が提供した情報を忘れられてしまうことを防止することができる。
【００４８】
また、接続ボックス１０は、受信したイベント情報に対応するタイミングを設定すると、その後はタイミングの監視を行い、そのタイミングを検出すると、該当するイベント情報を用紙等に印字する。よって、用紙に印字されたイベント情報に基づいて、乗務員にイベントの開始が近づいていることを認識させて営業させることができるため、さらなる営業効率の向上を図ることができる。
【００４９】
以上説明したように、本発明の乗務員支援システムによれば、イベント情報生成装置１００が生成したイベント情報を、出庫するタクシーに対して路側器１１０から送信し、タクシーに搭載された接続ボックス（乗務員支援装置）１０は車載器３０にて受信したイベント情報を乗務員に対してプリンタ５０で印字（出力）するようにしたことから、乗務員を煩わせることなく、タクシーの出庫時にイベント情報を確実に接続ボックス１０によって乗務員に認識させることができるため、イベント情報に基づいた当日の営業計画を乗務員に立てさせることができる。従って、乗車員の営業活動を支援することができるため、業績の向上に貢献することができる。
【００５０】
なお、上述した本最良の形態では、請求項中のイベント情報出力手段をプリンタ５０としてイベント情報を用紙に印字する場合について説明したが、イベント情報の出力としては、ハンディターミナル４０にて表示させたり、音声で出力させるなど他の機器によってイベント情報出力手段を実現することもできる。
【００５１】
また、上述した本最良の形態では、タクシーが出庫する際にイベント情報を用紙に印字する場合について説明したが、乗務員による所定の操作に応じて常時出力を可能としたり、イベントの開始時間が近づいたことを検出したときに出力するなど種々異なる形態とすることができる。
【００５２】
さらに、上述した本最良の形態では、イベント情報が示すイベントの開始時刻が近づいたときに再度イベント情報を出力する場合について説明したが、本発明はこれに限定するものではなく、イベント情報を受信したときのみ、イベント情報を出力するなど、タクシー会社の方針、乗務員の希望等に応じた形態とすることができる。
【００５３】
また、イベント情報をタクシー会社以外に設けられた路側器からも受信するようにすれば、営業地域に対応したイベント情報のみを乗務員支援装置（接続ボックス１０）に取り込むことができるため、より一層的確な営業支援を行うことができる。
【図面の簡単な説明】
【００５４】
【図１】本発明に係る乗務員支援装置及び乗務員支援システムの基本構成を示す図である。
【図２】本発明の乗務員支援システムの一例を示すシステム構成図である。
【図３】図２の接続ボックスの概略構成の一例を示す構成図である。
【図４】図３のＣＰＵが実行する乗務員支援処理の一例を示すフローチャートである。
【図５】イベント情報の出力例を示す図である。
【符号の説明】
【００５５】
１    乗務員支援装置
１２ａ    イベント情報抽出手段（ＣＰＵ）
１２ｂ    出力指示手段（ＣＰＵ）
３０    送受信手段（車載器）
５０    イベント情報出力手段（プリンタ）
１００    イベント情報生成装置
１１０    路側器
【図１】
2006079308.tif 000003
【図２】
2006079308.tif 000004
【図３】
2006079308.tif 000005
【図４】
2006079308.tif 000006
【図５】
2006079308.tif 000007